(57)【要約】【課題】曲面壁の施工の手間を少なくし、工期を大幅に短縮する。【解決手段】円弧線上に沿って互いに間隔をあけて立設された柱１，１，…の外面に複数の横胴縁７を、水平横方向に隣り合う横胴縁７，７の端部同士が所定の柱１の部分で突き合わされた状態で固定し、この横胴縁７の平面状外面に複数枚の板材１４，１４，…を、隣り合う板材１４，１４の端部同士が柱１上で若干の隙間１６をあけかつ板材１４の端部で柱１外面と平行なパテしろとしての平面部１８が凹陥形成されるように突き合わされた状態で密着固定し、この板材１４，１４の端部同士間の隙間１６ないし平面部１８にパテ材２３を充填する。【選択図】図１
2005290699.tif 000002
【特許請求の範囲】
【請求項１】
平面状の側面を有する複数の柱材が、円弧線上に沿って互いに間隔をあけかつ側面を円弧線外側の外面に位置付けて立設され、
上記柱材の外面に複数の横胴縁が、水平横方向に隣り合う横胴縁の端部同士を所定の柱材の位置で突き合わせかつ該横胴縁の端部を柱材外面に平行にした状態で固定され、
上記横胴縁の外面に複数枚の板材が、水平横方向に隣り合う板材の端部同士を上記所定の柱材の位置において若干の隙間をあけかつ板材の端部で柱材外面と平行な平面部を形成するように突き合わせた状態で密着されて固定され、
上記板材の端部同士間の隙間ないし上記平面部にパテ材が充填されていることを特徴とする曲面壁構造。
【請求項２】
請求項１の曲面壁構造において、
柱材の外面に、防水性シートとその上の通気用部材とを介して横胴縁が固定されていることを特徴とする曲面壁構造。
【請求項３】
請求項１又は２の曲面壁構造において、
板材は、板状体を複数層に積層して合成樹脂接着剤で接着した複合板材からなることを特徴とする曲面壁構造。
【請求項４】
請求項１〜３のいずれか１つの曲面壁構造において、
板材は、鉱物質繊維、無機粉状体及び結合剤を必須成分とするスラリーを湿式抄造して得られた湿潤無機質板を熱圧プレスした硬質無機板からなることを特徴とする曲面壁構造。
【発明の詳細な説明】
【技術分野】
【０００１】
本発明は、壁外面が凸状に膨らんだ曲面壁構造に関し、特に、その施工工期を大幅に短縮し得る乾式のものに関する。
【背景技術】
【０００２】
近年、住宅デザインの多様化や狭い敷地を有効に活用する必要から、曲面壁が施工されるようになってきている。この曲面壁は、例えば円弧線上に沿って互いに間隔をあけて立設された複数の柱材に複数枚の板材を曲面状に固定して施工することで得られる。このような曲面壁の施工構造として、従来、例えば特許文献１に示されるように、サイディングボードを曲面状に施工するものが提案されている。
【０００３】
この提案のものでは、縦胴縁と板材としてのサイディングボードとの間に緩衝材を介装することで、その胴縁の断面角部での応力集中を避けてサイディングボードにひび割れが発生するのを防止するようになっており、きれいな曲面の壁面が得られる。
【特許文献１】実開平５−３４５５号公報
【発明の開示】
【発明が解決しようとする課題】
【０００４】
ところで、上記特許文献１のものにおいて、壁面全体を目地の無い曲面に仕上げるためには、水平横方向に隣り合うサイディングボード（板材）が突き合わせされた端部間の目地部分をパテ処理する必要があるが、その場合、サイディングボードによってきれいな曲面が形成されているにも拘わらず、そのパテ材がサイディングボードに対し部分的に凸状に膨らんで見映えが悪くなる。このため、サイディングボードの端部を削ってパテしろを作る必要があり、非常に手間がかかるばかりでなく、施工の工期が長くなるという問題が生じるのは避けられない。
【０００５】
本発明は斯かる点に鑑みてなされたもので、その目的は、曲面壁構造に工夫を凝らすことで、その施工の手間を少なくし、施工工期を大幅に短縮できるようにすることにある。
【課題を解決するための手段】
【０００６】
上記の目的を達成するために、この発明では、板材が固定される柱材の側面が平面であることに着目し、この柱材の側面で板材の端部同士を柱材側面と平行に固定することにより、その板材の目地部分を施工と同時に積極的に平面状に凹ませ、その部分にパテ処理するようにした。
【０００７】
具体的には、請求項１の発明では、平面状の側面を有する複数の柱材が、円弧線上に沿って互いに間隔をあけかつ側面を円弧線外側の外面に位置付けて立設され、上記柱材の外面に複数の横胴縁が、水平横方向に隣り合う横胴縁の端部同士を所定の柱材の位置で突き合わせかつ該横胴縁の端部を柱材外面に平行にした状態で固定され、上記横胴縁の外面に複数枚の板材が、水平横方向に隣り合う板材の端部同士を上記所定の柱材の位置において若干の隙間をあけかつ板材の端部で柱材外面と平行な平面部を形成するように突き合わせた状態で密着されて固定され、上記板材の端部同士間の隙間ないし上記平面部にパテ材が充填されていることを特徴とする。
【０００８】
上記の構成によると、板材の端部同士が接する部分に平面部が形成されてパテしろとなり、この部分をそのままパテ処理することによって、パテ処理後の壁面が他の部分と連続した曲面を形成することとなる。従って、板材を削ってパテしろを設ける必要がなくなり、その手間をなくして、曲面壁の施工工期を大きく短縮することができる。
【０００９】
請求項２の発明では、柱材の外面に、防水性シートとその上の通気用部材とを介して横胴縁が固定されていることを特徴とする。
【００１０】
このことで、防水性シートと横胴縁との間に通気用部材を介して隙間が設けられることとなり、雨水や結露等で横胴縁が濡れても隙間を介して通気することができる。また、雨水等が溜まらずに流れ落ちるので、壁内に湿気が留まったり横胴縁が濡れたままで劣化したりすることがなく、曲面壁の耐久性を向上させることができる。
【００１１】
請求項３の発明では、板材は、板状体を複数層に積層して合成樹脂接着剤で接着した複合板材からなるものとする。このことで、板材の曲げ応力を緩和しつつ曲がり易くすることができる。すなわち、板状体は厚みを薄くすると曲がり易くなり、それを合成樹脂で接着した場合、曲げの応力が緩和されるので、板材はその最終的な厚みが同じでも曲がり易くなる。
【００１２】
請求項４の発明では、上記板材は、鉱物質繊維、無機粉状体及び結合剤を必須成分とするスラリーを湿式抄造して得られた湿潤無機質板を熱圧プレスした硬質無機板からなるものとする。このことで、板材は繊維を主体としているものとなり、無機材料としては靭性があり曲げ破壊に強いものが得られる。
【発明の効果】
【００１３】
以上の如く、請求項１の発明の曲面壁構造によると、円弧線上に沿って互いに間隔をあけて立設された柱材の外面に複数の横胴縁を、水平横方向に隣り合う横胴縁の端部同士が柱材の位置で突き合わされかつ横胴縁の端部が所定の柱材の平面状外面に平行になる状態で固定し、この横胴縁の外面に複数枚の板材を、水平横方向に隣り合う板材の端部同士が柱材で若干の隙間をあけかつ板材の端部で平面部が形成されるように突き合わされた状態で密着固定し、この板材の端部同士間の隙間ないし平面部にパテ材を充填したことにより、板材の端部同士が接する部分の外面に平面状のパテしろを施工と同時に形成でき、板材を削ってパテしろを設ける手間をなくして、曲面壁の施工工期の大幅な短縮化を図ることができる。
【００１４】
請求項２の発明によると、柱材の外面に、防水性シートとその上の通気用部材とを介して横胴縁を固定したことにより、雨水や結露等で横胴縁が濡れても、防水性シートと横胴縁との間の隙間を介して通気できるとともに、壁内への湿気の滞留や横胴縁の劣化を防いで曲面壁の耐久性を向上させることができる。
【００１５】
請求項３の発明によると、板材を板状体が複数層に積層されて合成樹脂接着剤により一体に接着された複合板材からなるものとしたことにより、板材の曲げ応力を緩和しつつ、その板材を曲がり易くすることができる。
【００１６】
請求項４の発明によると、板材は鉱物質繊維、無機粉状体及び結合剤を必須成分とするスラリーが湿式抄造された湿潤無機質板を熱圧プレスした硬質無機板としたことにより、無機材料としては靭性があって曲げ破壊に強い板材が得られる。
【発明を実施するための最良の形態】
【００１７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１８】
図１〜図４は本発明の実施形態に係る曲面壁構造を示し、１は図外の土台上に一定間隔（例えば６７２ｍｍ）をあけて立設された柱材としての柱で、これら隣り合う柱１，１間の土台上には複数本（図示例では２本）の柱材としての間柱２，２が立設されている。上記各柱１は例えば寸法１０５ｍｍ×１０５ｍｍの角柱からなり、各間柱２は例えば寸法１０５ｍｍ×３０ｍｍの角柱からなり、いずれも平面状の側面を有する。これら柱１及び間柱２は、所定の曲率半径Ｒ（例えばＲ＝４０００ｍｍ）の円弧線上に、１つの側面（間柱２にあっては幅方向に対向する側面の一方）が円弧線外側の外面となるように配置されている。
【００１９】
図１に示すように、上記各柱１及び各間柱２の外面には、防水性シート４及び通気ライナ５を介して水平横方向に延びる複数の横胴縁７，７，…が上下方向に並んで固定されている。防水性シート４は、防水性を有するもので、例えば防水紙や防水シート等からなり、好ましくは通気性を有する透湿防水シートがよい。この防水性シート４は柱１、間柱２、並びに該柱１及び間柱２の間に亘って連続するように貼られていて、柱１及び間柱２の外面にステープルにより固定されている。
【００２０】
一方、上記通気ライナ５は通気性部材を構成するもので、例えば３ｍｍ厚さの合板や樹脂板等の板材からなり、上記防水性シート４の上から柱１及び間柱２に対し接着剤や釘等で固定されている。
【００２１】
さらに、上記各横胴縁７は、厚さが同じ例えば１５ｍｍであるが、例えば幅９０ｍｍの広幅横胴縁（図４で上下中央のもの）と幅４０ｍｍの狭幅横胴縁（同上下両側のもの）との２種類からなり、広幅横胴縁７が上下方向に例えば９１６ｍｍの間隔をあけて、またこれら上下に隣り合う広幅横胴縁７，７間に例えば２本の狭幅横胴縁７，７が一定の間隔をあけてそれぞれ配置され、各横胴縁７は柱１及び間柱２の外面に釘９（又はビス等）により固定されている。
【００２２】
そして、上記水平横方向に隣り合う横胴縁７，７の端部同士は、上記柱１，１，…のうちの所定の柱１の外面（平面）において突き合わせ状態で配置され、この各端部が柱１外面に密着するように釘９（又はビス等）により固定されることで、各端部は柱１外面の両端部（角部）で曲面壁の中心側に少し折れ曲がって柱１外面と平行な平面状となっており（図１で範囲Ａ）、この突き合わせられた両端部の外面間も、他の部分と同様の曲率で曲がらずに柱１外面に沿った平面状となっていて、他の部分よりも曲面壁の中心側に凹陥している。
【００２３】
尚、図４に示すように、上下に隣り合う横胴縁７，７間のうち、柱１及び間柱２にはそれぞれ縦胴縁１１が柱１及び間柱２に外面を上下の横胴縁７，７の外面と略面一になるように固定されている。この縦胴縁１１は必須ではなく（特に間柱２の位置）、必要に応じて設ければよいが、特に曲面壁の曲率半径の小さな場合には設けるのが望ましい。
【００２４】
さらに、上記横胴縁７，７，…（及び縦胴縁１１）の外面には複数枚の板材１４，１４，…が裏面を横胴縁７外面（及び縦胴縁１１外面）に密着するように固定され、この固定は所定ピッチ（例えば４５〜６０ｍｍピッチ）をあけたビス２０，２０，…により行われている。これら複数枚の板材１４，１４，…は、水平横方向及び垂直縦方向に並ぶように配置され、水平横方向に隣り合う板材１４，１４は端部が上記横胴縁７，７間の突き合わせ端部に対応する柱１の位置に、また垂直縦方向に隣り合う板材１４，１４は端部が上記広幅横胴縁７の位置にそれぞれ対応するように配列されている。そして、水平横方向に隣り合う板材１４，１４の端部同士は、柱１上の位置で若干の隙間１６（例えば５〜１０ｍｍ程度）をあけて近接するように突き合わされ、この各端部は、上記隣り合う横胴縁７，７の突き合わせられた両端部の平面状外面に応じて、他の部分と同様の曲率で曲がらずに端部の外面に沿って平面状となっており、これら両端部の外面間には、他の部分よりも相対的に曲面壁の中心側に平面状に凹陥した平面部１８が形成されている。
【００２５】
そして、上記水平横方向に隣り合う板材１４，１４の端部間の隙間１６にはポリエチレン等のバックアップ材２１が充填され、これら端部外面間の平面部１８には、上記バックアップ材２１を埋め込むように弾性ウレタン系等のパテ材２３（市販のものでよい〉が充填塗布されている。このパテ材２３の塗布厚さは平面部１８における水平幅方向の中央部から両端部に向かって厚さが次第に薄くなっており、このパテ材２３の外面は平面部１８以外の板材１４外面と連続した同じ曲率の曲面になっている。
【００２６】
上記各板材１４は、例えば厚さ３ｍｍの板状体１５ａを例えば２層に積層してアクリル系、酢酸ビニル系、ウレタン系等の合成樹脂接着剤で一体に接着した厚さ６ｍｍの複合板材１５を、さらに２枚重ねて同様の合成樹脂接着剤で積層一体化した厚さ１２ｍｍのものである。尚、２枚以外の複数枚の所定厚さの板状体を積層して合成樹脂接着剤で一体に接着したものであればよい。この板材１４（複合板材１５）をなす各板状体１５ａは硬質無機板からなり、この硬質無機板は、ロックウール等の鉱物質繊維と、炭酸カルシウム等の無機粉状体と、スターチやフェノール樹脂等の結合剤とを必須成分とするスラリーを湿式抄造して得られた湿潤無機質板を熱圧プレスしたものである。
【００２７】
さらに、壁面全体が上記各板材１４及びパテ材２３の上から塗装されている。このときに用いる塗料としては、弾性塗料が好ましい。
【００２８】
したがって、上記実施形態においては、水平横方向に隣り合う板材１４，１４の端部同士が接する部分の外面が平面状の平面部１８となってパテしろとなり、この平面部１８及び端部間の隙間１６にそのままパテ材２３を充填塗布することによって、パテ処理後の壁面が他の部分と連続した曲面を形成する。このため、板材１４の端部を削ってパテしろを設ける必要がなくなり、その手間をなくして、曲面壁の施工工期を大きく短縮することができる。
【００２９】
また、柱１及び間柱２の外面に防水性シート４が貼られ、その上から２種類の横胴縁７が通気ライナ５を介して柱１及び間柱２に対し固定されているので、防水性シート４と横胴縁７との間に通気ライナ５を介して隙間が設けられ、雨水や結露等で横胴縁７が濡れても隙間を介して通気することができる。また、雨水等が溜まらずに流れ落ちるので、壁内に湿気が留まったり横胴縁７が濡れたままで劣化したりすることがなく、曲面壁の耐久性を向上させることができる。
【００３０】
さらに、曲面壁外側の板材１４が、複数の板状体１５ａ，１５ａを積層して合成樹脂接着剤により一体に接着した複合板材１５からなるものであるので、板材１４の曲げ応力を緩和しつつ、その板材１４を曲がり易くすることができる。尚、曲がり易い板材の場合、複合板材１５ではなくて１枚ものの板材を用いることができる。
【００３１】
また、上記板材１４（複合板材１５）をなす板状体１５ａは鉱物質繊維、無機粉状体及び結合剤を必須成分とするスラリーが湿式抄造された湿潤無機質板を熱圧プレスした硬質無機板であるので、無機材料としては靭性があって曲げ破壊に強い板材１４が得られる。
【実施例】
【００３２】
次に、本発明者が具体的に実施した例について説明する。曲面壁の各板材１４となる板状体１５ａを次のようにして製造した。ロックウール（鉱物質繊維）、スターチ（結合剤）、フェノール樹脂（結合剤）、炭酸カルシウム（無機粉状体〉を水中に投入してスラリーを得、このスラリーを撹拌した後、凝集剤を添加して凝集させた。このスラリーを長網式抄造機で抄造し、さらにサクションポンプで脱水し、湿潤マットを得た。この湿潤マットを熱圧プレスし、取扱いができる程度の強度を有するマットを得た後、熱風ドライヤーで乾燥させ、これをさらに熱圧プレスを行うことで、板厚さが３ｍｍで比重が１．３５の火山性ガラス質複層板からなる硬質繊維板（板状体１５ａ）を得た。
【００３３】
この２枚の硬質繊維板を積層してアクリル系、酢酸ビニル系、ウレタン系等の合成樹脂接着剤で一体に接着することで、厚さ６ｍｍの複合板材１５を得た。
【００３４】
次いで、この複合板材１５を用いて曲面壁を施工した。まず、柱１及び間柱２を２２５〜２５０ｍｍピッチで曲面状に施工し、この柱１及び間柱２に防水性シート４をステープルで貼り、その上から３ｍｍの合板からなる通気ライナ５（通気用部材）を接着剤で貼り、その上から広幅及び狭幅の２種類の横胴縁７を釘９で柱１及び間柱２に固定することで、きれいな曲面状に横胴縁７が施工された。このとき、横胴縁７の端部は、柱１の中央部で接するように固定することにより、柱１外面の幅方向隅部を梃子の支点として曲がる。次いで、柱１の位置で上下の横胴縁７，７間に縦胴縁１１を設けた後、この横胴縁７及び縦胴縁１１に上記６ｍｍ厚さの複合板材１５を裏面が密着するようにして仮止めした。この仮止めは４．７×２０ｍｍのステンレススプーンビスを用いて行い、そのピッチは３００ｍｍピッチ程度であった。この複合板材１５の外面に合成樹脂接着剤を塗って、同じ構造の複合板材１５（６ｍｍ板）を貼り、この両板材１５，１５を４．７×２０ｍｍのステンレススプーンビスを用いて固定し、厚さ１２ｍｍ（＝６ｍｍ×２）の板材１４を固定した。そのステンレススプーンビスの固定ピッチは４５〜６０mmピッチである。また、水平横方向に隣り合う板材１４，１４の端部間には５〜１０ｍｍ程度の隙間１６をあけ、この各端部については約３９ｍｍのリングネイルを柱１まで打ち込んで固定した。このことで、板材１４，１４の両端部が曲面から凹んだ平面状となった。
【００３５】
この後、上記水平横方向に隣り合う板材１４，１４の端部間の隙間にポリエチレンからなるバックアップ材２１を挿入した後、この両端部の外面間に市販の弾性ウレタン系のパテ材２３を塗った。このとき、板材１４，１４の両端部が曲面から凹んだ状態になっているので、パテ材２３を塗った状態で全体が曲面になった。しかる後に、壁面全体を塗装した。このように施工された曲面壁は、目地の突出がなくて全体に滑らかな曲面からなる曲面壁となった。このことで、本願発明の有効性が確認できる。
【産業上の利用可能性】
【００３６】
本発明は、曲面壁を、板材を削ってパテしろを作る手間を要さずに短い工期で施工できることから、極めて有用で産業上の利用可能性が高い。
【図面の簡単な説明】
【００３７】
【図１】本発明の実施形態に係る曲面壁構造の要部を拡大して示す平面断面図である。
【図２】板材端部の突き合わせ部分を示す正面図である。
【図３】曲面壁構造を示す平面断面図である。
【図４】柱及び間柱に対する横胴縁及び縦胴縁の固定状態を示す正面図である。
【符号の説明】
【００３８】
１  柱
２  間柱
４  防水性シート
５  通気ライナ（通気性部材）
７  横胴縁
９  釘
１４  板材
１５  複合板材
１５ａ  板状体
１６  隙間
１８  平面部
２０  ビス
２３  パテ材
【図１】
2005290699.tif 000003
【図２】
2005290699.tif 000004
【図３】
2005290699.tif 000005
【図４】
2005290699.tif 000006